(57)【要約】【課題】  複数のモニタ装置を設置した場所で、それぞれ任意の番組を視聴している複数の視聴者に対し、意図的に特定の番組を表示させる。【解決手段】  特定領域内に画像及び音声の少なくとも一方を再生する複数のモニタ装置１０と、該モニタ装置に備えられ前記特定領域の外から入力される放送データ、及び前記特定領だけに入力される少なくとも１種類の内部画像音声データを切り替えて選択することができる表示切替手段１７と、前記モニタ装置が表示再生する入力先を特定のデータに一括して切り替える一括切替手段５０とを備えた。【選択図】        図１
2005277545.tif 000002
【特許請求の範囲】
【請求項１】
特定領域内に配置され画像及び音声の少なくとも一方を再生する複数のモニタ装置と、該モニタ装置に備えられ前記特定領域の外から入力される放送データ、及び前記特定領だけに入力される少なくとも１種類の内部画像音声データを切り替えて選択することができる表示切替手段と、
前記モニタ装置が表示再生する入力先を特定のデータに一括して切り替える一括切替手段とを備えたことを特徴とするモニタ装置の表示切替装置。
【請求項２】
前記一括切替手段は、前記表示切替手段の選択を制御する選択制御手段と、この選択制御手段を設定操作する操作手段とからなることを特徴とする請求項１のモニタ装置の表示切替装置。
【請求項３】
前記一括表示手段は、前記モニタ装置において、前記選択手段に優先して操作され、入力信号を選択するための第２の切替手段と、該第２の切替手段を操作する操作手段とからなることを特徴とする請求項１のモニタ装置の表示切替装置
【請求項４】
一括切替手段を構成する接合線には光学的結合器を備え、各モニタ装置どうしが接合線を介して電気的に非接合状態であることを特徴とする請求項１ないし請求項３のモニタ装置の表示切替装置。
【請求項５】
前記一括切替手段の操作手段は、単一動作の操作部を備え、操作部の押圧パターンでモニタ装置への選択入力先を設定することを特徴とする請求項１ないし請求項４のモニタ装置の表示切替装置。
【請求項６】
前記内部画像音声データは画像音声信号分配器を多段的に配置し、１つの画像音声情報源の信号を必要数にまで分配することを特徴とする請求項１ないし請求項５のモニタ装置の表示切替装置。
【発明の詳細な説明】
【技術分野】
【０００１】
本発明は、モニタ装置の切替装置に係り、特に複数設置されたモニタ装置が表示する画像、音声を同一のものに同時に切り替えることができるモニタ装置の表示切替装置に関する。
【背景技術】
【０００２】
従来からモニタ装置として一般的なテレビ受像機は、電波、ケーブル、光ケーブルから送られてくる放送(アナログ地上波ＴＶ、デジタル地上波ＴＶ、衛星放送ＴＶ、ＣＡＴＶ等)を表示するＴＶ機能と、ビデオテープデッキ、ＤＶＤ装置が再生する映像・音声(ＡＶ)を表示するＡＶ機能とを備えて。視聴者は、を択一的に切り替え、モニタ装置に表示するスイッチが「ＴＶ／ＡＶ」あるいは「テレビ／ＡＶ入力」等の名称で設けられている。
【０００３】
視聴者は前記スイッチを操作することで、ＴＶやＡＶを選択し視聴することができた。
しかし、複数のテレビ受像機を設置した場所でも、各受像機を視聴する視聴者はそれぞれ任意の映像を選択して見ている。
【発明の開示】
【発明が解決しようとする課題】
【０００４】
このようなモニタ装置は、バスや航空機等の乗り物の各座席前方に設けられたり、パチンコホールの各遊技台に、遊技者が遊技の合間にあるいは遊技をしながらＴＶやＡＶを視聴できる情報サービス提供の一環として設けられている。
【０００５】
しかしながら、従来のモニタ装置では、各視聴者はそれぞれ勝手に視聴する番組内容を選択することができるため、施設管理者の意図で各モニタ装置に特定のＡＶ番組を確実に表示させることができなかった。これらの番組は、例えば、通知事項、広告など観光バスの各座席に設置したテレビ受像器に、各場所の名所案内をＡＶ情報として意図的に流すことや、パチンコ店で各遊技機毎に設置したテレビ受像機に、ＡＶ情報として店側からのお知らせ情報を流す等である。
【０００６】
そこで、本発明は複数のモニタ装置を設置した場所で、それぞれ任意の番組を視聴している複数の視聴者に対し、意図的に特定の番組を表示させることができるモニタ装置の表示切替装置を提供することを目的とする。
【課題を解決するための手段】
【０００７】
請求項１に記載の発明は、特定領域内に配置され画像及び音声の少なくとも一方を再生する複数のモニタ装置と、該モニタ装置に備えられ前記特定領域の外から入力される放送データ、及び前記特定領だけに入力される少なくとも１種類の内部画像音声データを切り替えて選択することができる表示切替手段と、前記モニタ装置が表示再生する入力先を特定のデータに一括して切り替える一括切替手段とを備えたことを特徴とするモニタ装置の表示切替装置である。
【０００８】
請求項２の発明は、請求項１のモニタ装置の表示切替装置において、前記一括切替手段は、前記表示切替手段の選択を制御する選択制御手段と、この選択制御手段を設定操作する操作手段とからなることを特徴とするものである。
【０００９】
請求項３の発明は、請求項１のモニタ装置の表示切替装置において、前記一括表示手段は、前記モニタ装置において、前記選択手段に優先して操作され、入力信号を選択するための第２の切替手段と、該第２の切替手段を操作する操作手段とからなることを特徴とするものである
【００１０】
請求項４の発明は、請求項１ないし請求項３のモニタ装置の表示切替装置において、一括切替手段を構成する接合線には光学的結合器を備え、各モニタ装置どうしが接合線を介して電気的に非接合状態であることを特徴とするものである。
【００１１】
請求項５の発明は、前記一括切替手段の操作手段は、単一動作の操作部を備え、操作部の押圧パターンでモニタ装置への選択入力先を設定することを特徴とする請求項１ないし請求項４のモニタ装置の表示切替装置。
請求項６の発明は、請求項１ないし請求項５のモニタ装置の表示切替装置において、前記内部画像音声データは画像音声信号分配器を多段的に配置し、１つの画像音声情報源の信号を必要数にまで分配することを特徴とするものである。
【発明の効果】
【００１２】
本発明に係る請求項１の発明によれば、各モニタ装置では、第１の選択手段で放送データまたは内部画像音声データを選択して表示再生できるほか、一括切替手段を操作することで所望の画像音声データを各モニタ装置に表示再生させることができる。
請求項２の発明によれば、一括切替手段の操作手段を操作することにより、選択制御手段を作動させ選択手段の選択を所望の画像音声データに変更でき、各モニタ装置に所望の画像音声を表示再生させることができる。
請求項３の発明によれば、一括切替手段の操作手段を操作することにより、第２の選択手段を作動させ所望の画像音声データを入力させ、各モニタ装置に所望の画像音声を表示再生させることができる。
【００１３】
請求項４の発明によれば、各モニタ装置が接合線を介して電気的に影響を与え合うことがないから、各モニタ装置は、安定した表示再生を行うことができる。
請求項５の発明によれば、一括切替手段の操作手段を単一動作の簡単なものとできる。
請求項６の発明によれば、１つの画像音声情報原で多数のモニタ装置に映像音声データを配信することができる。
【発明を実施するための最良の形態】
【００１４】
以下本発明を実施するための最良としての実施例を図面を参照して説明する。図１は本発明に係るモニタ装置の表示切替装置の構成を１台のモニタ装置に着目して示した系統図、図２は図１に示したモニタ装置の表示切替装置においてテレビ信号を表示するシステムを示す系統図、図３は図１に示すモニタ装置の表示切替装置において内部ＡＶ信号を表示するシステムを示す系統図、図４は図１に示したモニタ装置の表示切替装置のモニタ装置の構造を示すブロック図である。
【００１５】
本校案に係るモニタ装置の表示切替装置は、図１に示すように、限定した領域例えばパチンコホールの各遊技台の横上部分に配置されたテレビ受像器であるモニタ装置１０と、このモニタ装置１０に受信したテレビ信号を供給するテレビ受信系統２０と、モニタ装置１０にこのパチンコホール館内だけに供給される画像音声信号を供給する画像音声系統３０とからなる。
【００１６】
モニタ装置１０は、図２に示すように、テレビ受信系統２０から供給される一般テレビ情報（ＴＶ信号）を受け、所定のチャンネルのテレビ信号を選択するＴＶチューナ１１を備え、このテレビ信号と画像音声系統３０からの画像音声信号（ＡＶ信号）を選択するビデオスイッチ１２と、このビデオスイッチの選択状態を制御する制御ＣＰＵ１３と、実際にモニタ装置１０の表側に配置された切替スイッチ（ＴＶ／ＡＶ）１４を備える。なお図２中符号１５はＡＶ信号のバッファアンプ、１６はＬＣＤインタフェース、１７はＬＣＤパネルを示している。なお図示していないがこのモニタ装置１０にはスピーカあるいはヘッドフォンを装着する音声出力手段が設けられている。視聴者は、ＴＶチューナ１１及び切替スイッチ１４を操作することにより、テレビまたは画像音声信号を選択したり、テレビのチャンネルを選択したりすることができ、選択した画像音声をモニタ装置１０に表示再生することができる。
【００１７】
次にテレビ受信系統２０について説明する。図１及び図３に示すようにテレビ受信系統２０は地上波アンテナ２１と、前記地上波アンテナ２１からの信号を衛星放送（ＢＳ／ＣＳ）やＣＡＴＶのテレビ入力と切り替えるあるいは混合する切替混合装置２２と、この切替混合装置２２からの信号を各モニタ装置１０に分配するテレビ分配器２３を備える。本例では４段階にテレビ分配器２３，テレビ分配器２６、テレビ分配器２７、テレビ分配器２８を配置して、多数のモニタ装置１０にテレビ信号を配信するようにしている。
【００１８】
本例において、上述したようにモニタ装置１０はパチンコホールの多数の遊技機１０１の配置状態にあわせ、遊技機１０１を２列に配置した島１００毎にテレビ分配器２７を配置し、更に島１００中に下段のテレビ分配器２８を配置する構成としている。なお、図２中符号２３はアンテナ等からの信号を増幅するブースタを示している。
【００１９】
次に、画像音声系統３０について説明する。図１及び図４に示すように画像音声系統３０は、館内管理室４０内に配置したビデオテーププレーヤ、ＤＶＤプレーヤ４１等で再生した内容等をビデオ信号とオーディオ信号とに分けて配信する。本例では各モニタ装置１０に分配する分配器３１を備える。本例では３段階にＡＶ分配器３１，ＡＶ分配器３５，ＡＶ分配器３６を配置して、多数のモニタ装置１０にＡＶ信号を配信するようにしている。なお、図３中符号３７はＡＶ分配器３１，３５，３６に直流電力を供給するＡＣアダプタを示している。図４に示した例ではＡＶ信号を分配するために、１本の入力に対し８本を出力するＡＶ分配器を採用している。
【００２０】
なお、前記テレビ分配器及びＡＶ分配器は、いずれかも内部に増幅器を持ち、１本の入力端子に入力された信号と同等の信号(ビデオであれば７５Ω／P-P１V／６MHz)を全出力端子に出力する。この２種類の分配器は各段階で１つのケースに収納してもよいし、別々のケースに収納するようにしてもよい。
【００２１】
そして、本例では一括切替手段５０は、前記館内管理室４０に設けられた一括切替スイッチ５１及び電池５２と、前記複数のモニタ装置１０の制御ＣＰＵ１３と、前記一括切替スイッチ５１と制御ＣＰＵ１３を接続する導電性の信号線５３，５４を備えている。また、本例ではこの信号線５１と信号線５３の間には、各モニタ装置１０が信号線で電気的に接続されないように、フォトカプラ部６０を設けている。複数のモニタ装置１０が電気的に接続されると、各受像機の内部回路どうしが結果的につながってしまうことになり、電流の回り込みや、極性の不ぞろいといった結果を招く恐れがあるため、このような事態を防止している。
【００２２】
このフォトカプラ部６０は、図５に示すように、フォトカプラ６１と抵抗６５とからなる。本例ではフォトカプラ６１は、並列且つ逆方向に接続された発光ダイオード６２，６３及びフォトトランジスタ６４で構成されている。一括切替スイッチ５１を導通状態とすると、このフォトカプラ部６０の発光ダイオード６２，６３に電池５２の電圧が引加され、発光ダイオード６２，６３のいずれかが発光する。すると、フォトトランジスタ６４が導通状態となる。
【００２３】
次に、一括切替手段５０を構成する制御ＣＰＵ１３の作動を説明する。制御ＣＰＵ１３は、次の手順でスイッチを切り替える。即ち、制御ＣＰＵ１３は、ＡＶ切替スイッチ１４が導通されるたびに、ＴＶ→ＡＶ→ＴＶといった繰り返しとなるものが多い。これは、個々のモニタ装置１０の現在の状態が、ＴＶ／ＡＶどちらの側にあるか解らずにＴＶ／ＡＶ一括切り替えスイッチを押下した場合、意図する情報が流れない恐れがあるからである。そこで、モニタ装置１０内の切り替え入力部機能を押された回数によって何に切り替えるかを決めておき、図６（２）に示すように、単位時間例えば５秒以内に切り替えスイッチを３回続けて押下した場合はＡＶを選択、同時間内に２回続けて押下したらＴＶ、同時間内に１回押下したら切り替えスイッチ操作をする以前の状態に戻すものとする。この検出は、スイッチの導通があった後のスイッチの遮断を検出することで行われる。このようにすることで、押下回数による切り替え方式にすることで、ＴＶ／ＡＶ切り替えを任意に且つ確実なものとすることができる。
【００２４】
図６に示すように、制御ＣＰＵ１３は、管理室４０に設けられた一括切替スイッチ５１のオンオフ状態(導通状態がオン)を監視し、このオンオフから、ＴＶ信号かＡＶ信号を以下のように制御し選択する。
・一括切替スイッチ５１を３回連続した押下した場合はＡＶ信号を選択
・一括切替スイッチ５１を２回続けて押下したらＴＶ信号を選択
・一括切替スイッチ５１を１回だけ押下したらスイッチ操作をする以前の状態(モニタ装置１０本体側のＴＶ／ＡＶ釦で選択されていた画面に戻る。即ちＴＶであったならＴＶ、ＡＶであったならＡＶ)とする
・モニタ装置１０の電源がオンになった時点では、必ずＴＶとする
【００２５】
次に一括切替スイッチ５１の操作と制御ＣＰＵ１３の処理について図７に基づいて、更に詳しく説明する。一括切替スイッチ５１を操作すると、図６（１）に示すようにオンオフ状態が入力される。このとき図６（２）に示すように「イ」は操作待ちの状態、「ロ」はオンの時間を示す。導通時間の長さに制限はない。導通状態の間の間隔「ハ」は、３秒以内とする。これより長い場合は、前記「イ」の状態とみなす。
「イ」、「ロ」、「ハ」のいずれかにあっても、ここに入る幅50mm秒以下の信号は無効とする。前記一定時間内に、Ｃまで入力があったなら３回押下されたとしてＡＶを選択、Ｂまで入力があったなら２回押下されたとしてＴＶを選択、Ａまでなら以前の状態とする。
【００２６】
以上説明したように、各モニタ装置１０には、ＴＶ信号とＡＶ信号が情報が流れている。管理室内の一括切替スイッチ５１を操作しない状態では、各モニタ装置１０は各ＡＶ切替スイッチ１４の操作に従って視聴者の所望のチャンネルあるいは館内に放送されている映像音声情報を視聴することができる。
【００２７】
ここで、操作者が管理室４０に設けた一括切替スイッチ５１を操作すると、受像機はこの信号を受けＴＶ信号かＡＶ信号のいずれかを強制的に選択されてその内容が放映されることになる。操作者が画像音声系統３０に放映したいと意図する情報を流しておき、一括切替スイッチ５１により各モニタ装置１０を操作すれば意図する画像音声情報を一斉に放映することができる。
【００２８】
図８は、他の実施形態例に係るモニタ装置の表示切替装置におけるモニタ装置８０の構成を示すブロック図である。本例は上述した第１の例のモニタ装置１０に、切替スイッチ８１、接続線８２、接続線８３、ＡＶスイッチ無効ゲート８４を加えたものである。この例によれば、一括切替スイッチ５１の導通信号により、ＡＶスイッチ無効ゲート８４がＡＶ切替スイッチ１４からの信号を遮断すると共に、切替スイッチ８１がビデオスイッチ１２から信号によってＡＶ入力信号を直接ＬＣＤインタフェース１６に入力する処理を行う。本例では制御ＣＰＵ１３の処理は従来行ってきたＴＶ信号とＡＶ信号の切替を行うだけでよい。
【００２９】
即ち、一括切替スイッチ５１が非導通状態のとき、ビデオスイッチ１２にはＴＶ信号「とＡＶ入力信号が入力されている。このとき、制御ＣＰＵはＡＶ切替スイッチ１４の操作により、ＴＶ信号、ＡＶ信号のいずれかを選択し、切替スイッチ８１を経由してＬＣＤインタフェース１６に送り、ＬＣＤパネル１７で映像を表示する。
【００３０】
ここで、一括切替スイッチ５１が導通状態とされると、ＡＶスイッチ無効ゲート８４でＡＶ切替スイッチ１４の操作は無効とされ、切替スイッチ８１はＴＶ信号あるいはＡＶ信号のいずれかを選択してＬＣＤパネル１７に表示させることができる。
【００３１】
この例では、上述した第１の例で制御ＣＰＵ１３が行った処理と同様の処理を切替スイッチ８１で行わせることにより既存のモニタ装置に追加部品を加えるだけで、第１の例と同一の機能を持たせることができる。
【００３２】
なお、上記各例では、一括切替スイッチの押下回数でモニタ装置に表示させる内容を変更した例を説明したが、この変更は回数で制御するほか、押下時間で制御したり、一括切替スイッチとして複数の釦を配置して各釦に放映選択機能を割り当てるようする等、どのような方法で行っても差し支えない。
【００３３】
また、上記例では、ＡＶ入力信号が１系統である例を説明したが、これは複数系統あってもよく、要するに放送される系統のうち所望の系統で放送される画像音声を全てのモニタ装置に表示できれば足りる。
【産業上の利用可能性】
【００３４】
上記各例は適用個所をパチンコホールとして説明したが、多数のモニタ装置が配置されて、視聴者が自由な番組を試聴しているとき、管理者が所望の番組を放映する必要がある場所、例えば車両、船舶、航空機の搭乗者個人用モニタ装置、であればどこでも適用できる。
【図面の簡単な説明】
【００３５】
【図１】本発明に係るモニタ装置の表示切替装置の構成を１台のモニタ装置に着目して示した系統図である。
【図２】図１に示したモニタ装置の構造を示すブロック図である
【図３】図１に示したモニタ装置の表示切替装置のテレビ信号を表示するシステムを示す系統図である。
【図４】図１に示したモニタ装置の表示切替装置において内部ＡＶ信号を表示するシステムを示す系統図である。
【図５】図３に示したモニタ装置の表示切替装置の一括切替手段の詳細を示す回路図である。
【図６】図１に示したモニタ装置の表示切替装置の一括切替手段の操作を示す図であり、（ａ）は制御ブロック図、（ｂ）は操作手段の押下タイミング図である
【図７】図１に示したモニタ装置の表示切替装置の一括切替手段の制御状態を示すタイミング図である。
【図８】他の実施形態例に係るモニタ装置の表示切替装置におけるモニタ装置の構成を示すブロック図である。
【符号の説明】
【００３６】
１     光ファイバカプラ製造装置
１０   モニタ装置
１１   チューナ
１２   ビデオスイッチ
１４   切替スイッチ
１５   バッファアンプ
１６   ＬＣＤインタフェース
１７   ＬＣＤパネル
２０   テレビ受信系統
２１   地上波アンテナ
２２   切替混合装置
２３   テレビ分配器
２４   テレビライン
２５   ブースタ
２６   テレビ分配器
２７   テレビ分配器
２８   テレビ分配器
３０   画像音声系統
３１   分配器
３１   ＡＶ分配器
３２   ビデオライン
３３   オーディオライン
３４   ＡＣアダプタ
３５   ＡＶ分配器
３６   ＡＶ分配器
３７   アダプタ
４０   管理室
４１   ＤＶＤプレーヤ
４２   ＤＶＤディスク
５０   一括切替手段
５１   一括切替スイッチ
５１   信号線
５２   電池
５３   信号線
５４   信号線
６０   フォトカプラ部
６１   フォトカプラ
６２   抵抗
６２   発光ダイオード
６３   発光ダイオード
６４   フォトトランジスタ
６５   抵抗
８０   モニタ装置
８１   切替スイッチ
８２   接続線
８３   接続線
８４   スイッチ無効ゲート
１００ 島
１０１ 遊技機
【図１】
2005277545.tif 000003
【図２】
2005277545.tif 000004
【図３】
2005277545.tif 000005
【図４】
2005277545.tif 000006
【図５】
2005277545.tif 000007
【図６】
2005277545.tif 000008
【図７】
2005277545.tif 000009
【図８】
2005277545.tif 000010